(57)【要約】【課題】船釣りで船べりに取り付ける場合であっても堤防釣りで突起物に取り受ける場合であっても分解及び再組立の必要がない釣竿受けを提供する。【解決手段】釣竿受け１は釣竿を支持する竿受け台２と、竿受け台２の側面を挟むように設けられた一対の第１クランプ３と、第１クランプ３の裏面に設けられた第２クランプ４とを備える。竿受け台２は一対の第１クランプ３間の間隔よりも幅が狭くなっている。船べりに取り付ける場合は、図１の状態で第１クランプ３を用いて取り付ける。堤防の車止めに等の突起物に取り付ける場合は、竿受け台２を第１クランプ３の間に収納されるように回動させ、第２クランプ４を用いて取り付ける。このように、第１及び第２クランプを選択して固定対象物に取り付けることができるため、分解等の必要がない。また、釣竿受け１を持ち運ぶ際には、竿受け台２が第１クランプ３の間に収納されるのでコンパクトになる。【選択図】図１
2004097135.tif 000002
【特許請求の範囲】
【請求項１】
釣竿の根元部分を保持する竿保持部と前記釣竿保持部より前方に延設され釣竿を受ける竿受け部とを有する竿受け台と、前記竿受け台の側面を挟むように配設され固定対象を水平方向から固定する一対の第１クランプと、前記第１クランプの裏面側に前記第１クランプと略平行に配設され固定対象を上方から固定する第２クランプとを備え、
前記第１クランプは大略コ字状で固定対象の上面に当接する当接部を有するフレームと前記当接部に向けて進退自在のクランプネジとを有し、
前記竿受け台は前記一対の第１クランプ同士の間隔よりも幅が狭く形成されると共に後端部近傍が前記第１クランプのフレームに回動自在に軸支され、
前記第１クランプで固定対象を固定するときは前記竿受け台を前記当接部の軸方向に向け、前記第２クランプで固定対象を固定するときは前記竿受け部を前記一対のフレーム間に収納することを特徴とする釣竿受け。
【請求項２】
前記竿受け台は、前記竿保持部が前記竿受け部に回動自在に軸支されていることを特徴とする請求項１に記載の釣竿受け。
【発明の詳細な説明】
【０００１】
【発明の属する技術の分野】
本発明は、船釣りあるいは堤防釣りに用いられる釣竿受けに関する。
【０００２】
【従来の技術】
船釣りにおいて船べりに取り付けることができると共に、堤防釣りにおいては堤防に設けられた車止め等の突起物に取り付けることができる釣竿受けとしては、例えば下記特許文献１に開示されたものが知られている。
【０００３】
【特許文献１】
実用新案登録第２５００４１０号公報（第４頁、第３図）
この特許文献１に開示された釣竿受けは、その第３図に開示されているように、竿受け具と、竿受け具を支持する支持台と、支持台に取り付けられるクランプ部とを備えている。そして、水平方向に飛び出すリブを有する手摺に取り付ける場合には前記クランプ部を縦向きにして前記リブに固定し、水平方向に飛び出すリブが無い手摺に取り付ける場合には前記クランプ部を横向きにして前記手摺に固定できるようになっている。
【０００４】
しかしながら、この特許文献１に開示された釣竿受けは、クランプ部を縦方向から横方向、あるいはその逆の向きに変更する場合、一度支持台をクランプ部から取り外し、支持台の向きを変えて再度クランプ部に取り付けなければならなかった。
【０００５】
このような従来の釣竿受けの場合、釣りを行う前日までに釣り場の状況に応じてクランプ部の向きを予めセットしておけばよいが、セットし忘れた場合は釣り場において釣竿受けの分解及び組立を行わなければならない。このような場合、特に釣り船の上では作業が困難となり、船の揺れ等で分解時に部品を紛失する等の不都合が生じるおそれがある。
【０００６】
【発明が解決しようとする課題】
本発明は、釣竿受けの改良を目的とし、さらに詳しくは前記不都合を解消するために、船釣りで船べりに取り付ける場合であっても、堤防釣りで突起物に取り受ける場合であっても、分解及び再組立の必要がない釣竿受けを提供することを目的とする。
【０００７】
【課題を解決するための手段】
前記目的を達成するために、本発明の釣竿受けは、釣竿の根元部分を保持する竿保持部と前記釣竿保持部より前方に延設され釣竿を受ける竿受け部とを有する竿受け台と、前記竿受け台の側面を挟むように配設され固定対象を水平方向から固定する一対の第１クランプと、前記第１クランプの裏面側に前記第１クランプと略平行に配設され固定対象を上方から固定する第２クランプとを備える。
【０００８】
また、前記第１クランプは大略コ字状で固定対象の上面に当接する当接部を有するフレームと前記当接部に向けて進退自在のクランプネジとを有し、前記竿受け台は前記一対の第１クランプ同士の間隔よりも幅が狭く形成されると共に後端部近傍が前記第１クランプのフレームに回動自在に軸支される。
【０００９】
そして、前記第１クランプで固定対象を固定するときは前記竿受け台を前記当接部の軸方向に向け、前記第２クランプで固定対象を固定するときは前記竿受け部を前記一対のフレーム間に収納することを特徴とする。
【００１０】
本発明の釣竿受けは、固定対象を水平方向から固定する第１クランプと、固定対象を上方から固定する第２クランプとを備えており、釣り場の状況に応じてこれらを使い分けて固定対象に固定することができる。従って、釣り場において釣竿受けを分解及び再組立する必要がないため、釣り場において即座に釣竿受けを固定することができると共に部品等を紛失することがない。また、前記竿受け台は前記一対の第１クランプ同士の間隔よりも幅が狭く形成されており、前記一対の第１クランプの間に収納することができるため、持ち運びの際などにコンパクトにすることができる。
【００１１】
また、本発明の釣竿受けは、前記竿受け台を前記竿保持部が前記竿受け部に回動自在に軸支されるようにすることが好ましい。このように、前記竿保持部を回動自在とすることにより、前記竿受け台を前記第１クランプの間に収納した際にさらに前記竿保持部を折り畳むことができるため、持ち運びの際などにコンパクトにすることができる。また、前記竿保持部に釣竿を保持した状態で釣竿の角度を変えることができるので、魚がかかった際に釣竿を竿保持部から外すことなく「あわせ」を行うことができる。
【００１２】
【発明の実施の形態】
次に、本発明の釣竿受けの実施形態の一例について、図１乃至図４を参照して説明する。図１は本実施形態の釣竿受けを示す説明図、図２は釣竿受けを船べり等に固定した状態を示す説明図、図３は釣竿受けを堤防の車止めに固定した状態を示す説明図、図４は釣竿受けを折り畳んだ状態を示す説明図である。
【００１３】
本実施形態の釣竿受け１は、図１に示すように、釣竿を支持する竿受け台２と、竿受け台２の側面を挟むように設けられた一対の第１クランプ３と、第１クランプ３の裏面に設けられた第２クランプ４とを備えている。
【００１４】
竿受け台２は、釣竿の根元部分を蝶ナット５ａにより固定する竿固定部５と、釣竿の根元部分よりも前方を支持する竿受け部６とを備えている。竿固定部５は、その下方が回動ピン７により軸受け部材８に回動自在に軸支され、軸受け部材８は竿受け部６と共に回動軸９により回動自在に軸支されている。また、竿固定部５の上方部分５ｂは蝶ナット５ａを取り外すことにより着脱自在となっている。また、竿受け台２は、竿固定部５、軸受け部材８及び竿受け部６が一対の第１クランプ３間の間隔よりも幅が狭くなるように形成されている。
【００１５】
第１クランプ３は、前方に向けて開口する略コ字状のフレーム１０と、フレーム１０の下方に螺合されるクランプネジ１１とを備えている。また、図２におけるフレーム１０の上方部分は固定対象物である船べりＡの上面に当接する当接部１０ａとなっている。また、第１クランプ３は、竿受け台２の左右を挟むように一対で配設されており、フレーム１０の縦方向の部分が連結部１２により連結されている。
【００１６】
第２クランプ４は、逆Ｌ字形の固定フレーム１３と、固定フレーム１３の下方に上下に移動可能な可動フレーム１４と、固定フレーム１３の上方に設けられたクランプネジ１５とを備えている。固定フレーム１３は、第１クランプ３のフレーム１０の裏面に固定部材１６によって固定されている。また、固定フレーム１３には、上下方向に可動フレーム１４の裏面部分が係合される複数のストッパ１７が設けられており、可動フレーム１４は係合するストッパ１７の位置を変更することにより、上下に移動できるようになっている。
【００１７】
上記構成の本実施形態の釣竿受け１は、以下のようにして使用される。まず、釣り船の船べりＡに取り付ける場合について図２を参照して説明する。本実施形態の釣竿受け１を船べりＡに取り付ける場合には、第１クランプ３を使用して取り付ける。具体的には以下の手順による。まず、第１クランプ３を縦方向に向けると共に、竿受け部６を前方（図２において左側）に向ける。次に、第１クランプ３のクランプネジ１１を船べりＡの側方に突き出している部分の厚さに合わせる。そして、当該突き出している部分にフレーム１０の当接部１０ａを乗せ、クランプネジ１１を締め付けることにより船べりＡに取り付ける。
【００１８】
次に、竿固定部５の蝶ナット５ａを外して竿固定部５の上方部分５ｂを取り外した状態で釣竿Ｃを竿固定部５に乗せ、上方部分５ｂを乗せて蝶ナット５ａで釣竿Ｃを竿固定部５に固定する。竿固定部５は、回動ピン７及び回動軸９によって第１クランプ３に回動自在に保持されているため、釣竿Ｃを竿固定部５に固定した状態でその角度を変えることもできる。
【００１９】
次に、本実施形態の釣竿受け１を、堤防に設けられた車止めＢに取り付ける場合について図３を参照して説明する。本実施形態の釣竿受け１を車止めＢに取り付ける場合には、第２クランプ４を使用して取り付ける。具体的には以下の手順による。まず、図２に示す状態から図３に示すように回動軸９を中心に竿受け部６を第１クランプ３の軸方向に向けて回動させる。竿受け部６は一対の第１クランプ３同士の間隔よりも幅が狭くなっているため、竿受け部６が一対の第１クランプ３の間に収納される。
【００２０】
このとき、軸受け部材８は第１クランプ３から図３において右側に突出させた状態とする。また、竿固定部５を回動ピン７を中心に回動させて起立させる。この状態で、第２クランプ４のクランプネジ１５を回して車止めＢの幅に合わせ、釣竿受け１を車止めＢの上方に乗せる。そして、クランプネジ１５を締め付けることにより釣竿受け１を車止めＢに固定する。そして、上記と同様に竿固定部５に釣竿Ｃを固定する。
【００２１】
一方、本実施形態の釣竿受け１を持ち運ぶ際は、図４に示すように、軸受け部材８及び竿固定部５を一対の第１クランプ３の間に収納する。軸受け部材８及び竿固定部５は、一対の第１クランプ３同士の間隔よりも幅が狭くなっているため、これらの部材が一対の第１クランプ３の間に収納される。
【００２２】
このように、本実施形態の釣竿受け１によれば、釣り船の船べりＡに固定する場合も、堤防の車止めＢに固定する場合も、部品の組み替え等をすることなく第１クランプ３又は第２クランプ４を用いることにより固定することができる。また、図４に示すように、竿受け台２を一対の第１クランプ３の間に収納することができるため、持ち運びの際にはコンパクトに折り畳むことができる。
【００２３】
尚、上記実施形態においては、竿受け台２の構成として竿受け部６と竿固定部５とを回動自在としているが、これに限らず、竿受け台２と竿固定部５とを一体とした構成としてもよい。
【図面の簡単な説明】
【図１】本実施形態の釣竿受けを示す説明図。
【図２】釣竿受けを船べり等に固定した状態を示す説明図。
【図３】釣竿受けを堤防の車止めに固定した状態を示す説明図。
【図４】釣竿受けを折り畳んだ状態を示す説明図。
【符号の説明】
１…釣竿受け、２…竿受け台、３…第１クランプ、４…第２クランプ、５…竿固定部、６…竿受け部、１０…フレーム、１０ａ…当接部、１１…クランプネジ。
【図１】
2004097135.tif 000003
【図２】
2004097135.tif 000004
【図３】
2004097135.tif 000005
【図４】
2004097135.tif 000006